(57)【要約】【課題】操作性の良い制御盤を提供する。【解決手段】本発明の一形態にかかる制御盤は、開口を有するケースと、前記ケースの前記開口に対して回動可能に構成された回動扉と、前記ケースの前記開口に対してスライド移動可能に構成されたスライド扉と、を備える。【選択図】      図３
2019013104.tif 000002
【特許請求の範囲】
【請求項１】
開口を有するケースと、
前記ケースの前記開口に対して回動可能に構成された回動扉と、
前記ケースの前記開口に対してスライド移動可能に構成されたスライド扉と、
を備える、制御盤。
【請求項２】
前記回動扉を閉じた閉扉状態において、前記開口において前記回動扉と前記スライド扉とが所定方向に隣接して配置され、
前記回動扉は、前記開口の少なくとも一部を覆う位置と、前記開口を開放する位置とで回動可能に構成され、
前記ケースは、前記開口の縁部分に、外周側に開口する溝を有する返し構造の周縁部を備え、
前記回動扉は、前記周縁部の外周側を覆うフレームを備え、
前記スライド扉は、前記ケースの前記周縁部に係合する返し構造の上フレームと、隣り合う前記回動扉の側縁部に係合する返し構造の側フレームと、を備える、請求項１記載の制御盤。
【請求項３】
前記ケースは、前記開口の縁部分に、外周側に開口する溝を有する返し構造の周縁部を備え、
前記スライド扉は、前記周縁部の溝に配されるローラを備え、前記開口の縁部分にスライド可能に支持される、請求項１記載の制御盤。
【発明の詳細な説明】
【技術分野】
【０００１】
本発明は、扉を有する制御盤に関する。
【背景技術】
【０００２】
ボックス内の収容空間に回路基板などの制御機器を収容した制御盤において、収容空間の開口を開閉する扉を複数備えるものが知られている。例えば、ボックスは、前面に開口を有するケースと、開口の両端の領域を開閉する一対の開閉扉と、開口の中央の領域を覆う固定扉と、を備える。一対の開閉扉はケースの幅方向の両端縁に回動可能に取付けられる。一方、固定扉はケースの開口の上下縁に着脱可能に取付けられる。
【先行技術文献】
【特許文献】
【０００３】
【特許文献１】特開２００４−２２６５４号公報
【発明の概要】
【発明が解決しようとする課題】
【０００４】
このような制御盤では、メンテナンスの際に固定扉に覆われる部位の制御機器の操作を行う場合に、ユーザが固定扉を取り外す作業が必要であり、メンテナンス時の作業が煩雑となる。
【０００５】
そこで、本発明は、操作性の良い制御盤を提供することを目的とする。
【課題を解決するための手段】
【０００６】
本発明の一形態にかかる制御盤は、開口を有するケースと、前記ケースの前記開口に対して回動可能に構成された回動扉と、前記ケースの前記開口に対してスライド移動可能に構成されたスライド扉と、を備える。
【発明の効果】
【０００７】
本発明によれば操作性の良い制御盤を提供することができる。
【図面の簡単な説明】
【０００８】
【図１】本発明の一実施形態にかかる制御盤の閉扉状態の正面図。
【図２】同制御盤の閉扉状態の平面図。
【図３】同制御盤の開扉状態の正面図。
【図４】同制御盤の開扉状態の平面図。
【図５】図１のＡ５−Ａ５断面図。
【図６】図１のＡ６−Ａ６断面図。
【図７】図１のＡ７−Ａ７断面図。
【図８】図１のＡ８−Ａ８断面図。
【図９】図１のＡ９−Ａ９断面図。
【図１０】本発明の一実施形態にかかる制御盤の動作を示す説明図。
【発明を実施するための形態】
【０００９】
以下、本発明の一実施形態にかかる制御盤１０について、図１乃至図７を参照して説明する。図１は制御盤１０の閉扉状態を示す正面図、図２は制御盤１０の閉扉状態を示す平面図、図３は制御盤１０の開扉状態を示す正面図、図４は制御盤１０の開扉状態を示す平面図である。図５は図１のＡ５−Ａ５断面図、図６は図１のＡ６−Ａ６断面図、図７は図１のＡ７−Ａ７断面図であり、図８は図１のＡ８−Ａ８断面図、図９は図１のＡ９−Ａ９断面図である。図１０は制御盤の動作を示す説明図である。
【００１０】
図１乃至図７に示すように、制御盤１０は、内部に収容空間を形成するボックス１１と、ボックス１１内の収容空間に収められる各種の制御機器１２と、を備える。
【００１１】
例えば本実施形態にかかる制御盤１０は、電動式ポンプを備える自動給水システムに設けられ、自動給水システムの電動式ポンプの運転を制御する各種の制御機器１２がボックス１１内に収められている。例えば制御機器１２として、電動式ポンプに接続されるインバータや、電源供給ユニット、各種リレー装置や電動式ポンプの各部の動作を制御する制御回路を搭載した回路基板等を備える。各種の制御機器１２は、ボックス１１内に立設された支持プレート１４に締結され、支持されている。
【００１２】
ボックス１１は、図１に示す設置状態において高さ方向に沿う第１方向、幅方向に沿う第２方向、及び前後方向に沿う第３方向に、それぞれ所定の寸法を有する矩形の箱状である。ボックス１１は、前方に開口１３ａを有するケース１３と、開口１３ａの幅方向両端に設けられる一対の回動扉３０と、開口１３ａの幅方向中央部分に設けられるスライド扉５０と、を備える。
【００１３】
ケース１３は、例えば金属材料または樹脂材料で構成され、後壁２１と、周壁２２と、を一体に備え、前側に矩形状の開口１３ａを有している。
【００１４】
後壁２１は矩形の板状に構成されている。
【００１５】
周壁２２は、後壁２１の外周縁から前方に延び、上壁２２ａ、下壁２２ｂ、及び一対の側壁２２ｃを連続して一体に備える矩形の枠状に構成されている。周壁２２はその前端部分に返し構造の周縁部２３を有している。
【００１６】
周縁部２３は、外周側に開口する溝状の水切り部を構成している。周縁部２３は、周壁２２の前端縁部が曲げ形成されて構成され、上壁２２ａの前端に配される上周縁部２３ａと、下壁２２ｂの前端に配される下周縁部２３ｂと、一対の側壁２２ｃの前端に配される一対の側周縁部２３ｃと、を連続して有している。
【００１７】
周縁部２３は、周壁２２の前端縁から屈曲して後壁２１と平行に開口１３ａの中央に向けて延びる内縁壁２４と、内縁壁２４の内側端から屈曲して、上壁２２ａ、下壁２２ｂ及び一対の側壁２２ｃと平行に前方に向けて延びる周底壁２５と、周底壁２５の前端から屈曲して折り返されて内縁壁２４と平行に外方に向けて延びるフランジ壁２６と、を連続して一体に備える。
【００１８】
一対の側周縁部２３ｃは、幅方向外側に開口する側溝部２７を形成する。この側溝部２７に、ヒンジユニット４０を構成する第１ヒンジパーツ４１が、上下に等間隔で３箇所に設けられる。
【００１９】
上周縁部２３ａは、上方に開口する上溝部２８を形成する。この上溝部２８は、スライド扉５０のローラ６２を回転可能に支持し、スライド扉５０の走行方向を案内するレールガイドを構成する。
【００２０】
下周縁部２３ｂの所定位置には、位置決め機構としての位置決め孔１３ｄが形成されている。位置決め孔１３ｄは移動中にスライド扉５０が予め定められた所定の停止位置に至ると、スライド扉５０に形成された位置決め孔５１ｄと重なる位置に形成されている。
【００２１】
一対の回動扉３０は、例えば金属材料または樹脂材料で構成され、カバーベース３１と、カバーフレーム３２と、を一体に備える。一対の回動扉３０は、ケース１３の側周縁部２３ｃに、ヒンジユニット４０を介して、回動可能に取付けられる。
【００２２】
各回動扉３０のカバーベース３１はそれぞれ、矩形の板状に構成されている。カバーベース３１は、ケース１３の開口１３ａの幅寸法の１／３程度の幅寸法を有し、開口１３ａの上下方向の全長を覆う高さ寸法を有している。すなわち、一対の回動扉３０によって、ケース１３の開口１３ａの幅方向両側の側部の１／３ずつの領域が覆われる。カバーベース３１は、閉扉状態において、ケース１３の後壁２１に平行な姿勢で、開口１３ａの一部を覆う。カバーベース３１には、回動扉３０を開閉する際に手指を引っかけるための取手部３１ａが設けられている。取手部３１ａは、ヒンジユニット４０が設けられる回動軸とは反対側の端縁側の所定位置に設けられている。
【００２３】
カバーフレーム３２はカバーベース３１の外周縁から連続して後方に延びる枠であり、上壁２２ａと平行な上フレーム片３２ａ、下壁２２ｂと平行な下フレーム片３２ｂ、及び側壁２２ｃと平行な一対の側フレーム片３２ｃを備える。
【００２４】
一方の側フレーム片３２ｃの内壁には、ヒンジユニット４０を構成する第２ヒンジパーツ４２が上下方向に等間隔で３箇所に設けられる。
【００２５】
ヒンジユニット４０は、第１ヒンジパーツ４１と、第２ヒンジパーツ４２と、ヒンジピン４３と、を備えて構成される。第１ヒンジパーツ４１は、例えば金属板が曲成され、第１ヒンジ孔４１ａを有する筒状のヒンジ筒部４１ｂと、側溝部２７の内壁に固定される板状のヒンジプレート部４１ｃとを一体に備える。第２ヒンジパーツ４２は、例えば金属板が曲成されて成り、第２ヒンジ孔４２ａを有する筒状のヒンジ筒部４２ｂと、側フレーム片３２ｃの内壁に固定される板状のヒンジプレート部４２ｃとを一体に備える。ヒンジピン４３は、第１ヒンジパーツ４１の第１ヒンジ孔４１ａ及び第２ヒンジパーツ４２の第２ヒンジ孔４２ａを通って配され、第１ヒンジパーツ４１と第２ヒンジパーツ４２を相対的に回動可能に上下に接続する。
【００２６】
ヒンジユニット４０は、上下方向に沿うヒンジピン４３で規定される所定の回動軸を中心に、第１ヒンジパーツ４１と第２ヒンジパーツ４２が相対的に回動可能に連結されることで、第１ヒンジパーツ４１が取付けられるケース１３と、第２ヒンジパーツ４２が取付けられる回動扉３０とを、相対的に回動可能に接続する。
【００２７】
スライド扉５０は、例えば金属製の板状部材が曲成され、矩形の板状に構成されたスライドカバー５１と、スライドカバー５１の周縁部２３に配されるスライドフレーム５２と、を一体に備える。
【００２８】
スライドカバー５１は、矩形の板状に構成されている。スライドカバー５１は、ケース１３の開口１３ａの幅寸法の１／３程度の幅寸法を有し、開口１３ａの上下方向の全長を覆う高さ寸法を有している。すなわち、スライド扉５０によって、開口１３ａの幅方向中央の１／３程度の領域が覆われる。また、スライドカバー５１の中央部の内面側には補強リブ５１ｂが形成されている。また、スライドカバー５１の下部には通風可能なスリットを有する通風部５１ｃが形成されている。
【００２９】
スライドフレーム５２は、スライドカバー５１の上縁に配される上フレーム５３と、スライドカバー５１の一対の側縁にそれぞれ配される側フレーム５４と、スライドカバー５１の下縁に配される下フレーム５５と、を一体に備える。上フレーム５３は、下側に開口する溝を有する返し構造に構成されている。具体的には上フレーム５３は、スライドカバー５１の上端縁から屈曲して後方に延びる上壁２２ａと平行なフレーム底壁５３ａと、フレーム底壁５３ａの後端縁から屈曲して折り返されて下方に延びる後壁２１と平行な返し壁５３ｂと、を一体に備える。上フレーム５３は断面がＬ字状のコーナー部を構成する。返し壁５３ｂは、スライドカバー５１に対向配置されスライドカバー５１の上縁部と上フレーム５３により下方に開口する上溝５６が形成される。上フレーム５３は、閉扉状態において、上周縁部２３ａに係合し、上周縁部２３ａを覆う。また、返し壁５３ｂの、スライドカバー５１と対向する対向面の下端部の所定位置に、スライダ６０が取付けられている。
【００３０】
スライダ６０は、幅方向に延びる細長形状のレール材６１と、レール材６１に設けられた複数のローラ６２と、を備える。ローラ６２は前後方向に延びる回転軸６２ａによってレール材６１に回動可能に取付けられている。ローラ６２の直径はレール材６１の高さ方向の寸法よりも大きく、レール材６１の下端縁よりも下方に突出し、上フレーム５３に支持される。ローラ６２が上フレーム５３の溝上で回転することにより、スライダ６０が幅方向に移動可能であり、スライド扉５０がスライダ６０に案内されて幅方向に移動する。回転軸６２ａは返し壁５３ｂに螺合される。回転軸６２ａの長さは、返し壁５３ｂに対向配置される内縁壁２４に干渉しない長さに設定されている。
【００３１】
下フレーム５５は、図８に示すように、スライドカバー５１の下端縁から屈曲して後方に延びる下壁５５ａを備える。下壁５５ａは、スライドカバー５１とともに断面がＬ字状のコーナー部を構成する。下壁５５ａは、閉扉状態において、周底壁２５の下面に対向して配置され、下周縁部２３ｂの下側を覆う。
【００３２】
また、スライド扉５０の下端部には、位置決め機構としての位置決め孔５１ｄが形成されている。位置決め孔５１ｄは、移動中にスライド扉５０が予め定められた所定の停止位置に至るとケース１３の水切り部に形成された位置決め孔１３ｄと重なる位置に、形成されている。
【００３３】
側フレーム５４は、前側に開口する溝を有する返し構造である。側フレーム５４は、図６に示すように、スライドカバー５１の側端縁から屈曲して後方に延びる側壁２２ｃと平行なフレーム片５４ａと、フレーム片５４ａの後端縁から屈曲して幅方向外方に延びる後壁２１と平行なフレーム底片５４ｂと、フレーム底片５４ｂの側端から屈曲して折り返されて前方に延びるフレーム返し片５４ｃと、を一体に備える。一対の側フレーム５４は、閉扉状態において、隣り合う回動扉３０の側フレーム片３２ｃに係合する。
【００３４】
次に、制御盤１０の扉の開閉動作について、説明する。図１及び図２に示すように、回動扉を閉じた閉扉状態において、一対の回動扉３０は、カバーベース３１がケース１３の開口１３ａの両端の領域を覆い、この一対の回動扉３０の間にスライド扉５０が配され、スライドカバー５１により開口１３ａの幅方向中央部の領域が覆われる。すなわち、開口１３ａにおいて回動扉３０とスライド扉５０とが所定の幅方向に隣接して配置され、一対の回動扉３０と１つのスライド扉５０によってケース１３の開口面の全域が覆われる。
【００３５】
閉扉状態において、外周側に開口する溝の返し構造の周縁部２３は、その幅方向の両端部がそれぞれ一対の回動扉３０によって覆われるとともに、幅方向の中央部がスライド扉５０によって覆われている。
【００３６】
すなわち、閉扉状態において、図５に示す様に、ケース１３の周縁部２３の幅方向両端の側周縁部２３ｃは、回動扉３０の側フレーム片３２ｃに覆われている。このとき、側フレーム片３２ｃと周底壁２５とが対向して配置され、二重の壁構造を形成する。また、内縁壁２４とカバーベース３１とが対向配置され、二重の壁構造を形成する。そして、カバーベース３１と側フレーム片３２ｃとで形成されるコーナー部分と側周縁部２３ｃとの間に形成される空間に、ヒンジユニット４０が配されている。
【００３７】
また、図６に示すように、閉扉状態において、隣り合う回動扉３０の側フレーム片３２ｃとスライド扉５０の側フレーム片３２ｃとは互いに係合している。すなわち、前方に開口する側フレーム５４の溝内に側フレーム片３２ｃが配され、フレーム返し片５４ｃと、側フレーム片３２ｃと、フレーム返し片５４ｃとが幅方向において重なるように配列され、３重の壁構造を形成する。また、フレーム底片５４ｂとカバーベース３１とが対向配置され、２重の壁構造が形成される。なお、閉扉状態において、スライド扉５０の側方には回動扉３０が配されているため、スライド扉５０の移動が規制される。
【００３８】
また、閉扉状態において、図７に示すように、ケース１３の周縁部２３の上側の上周縁部２３ａは、スライド扉５０の上フレーム５３によって覆われている。すなわち、下に開口する溝状の上フレーム５３と、上に開口する溝状の上周縁部２３ａが対向して配置され、スライドカバー５１と返し壁５３ｂとケース１３の内縁壁２４とが重ねて配されて３重の壁構造を形成する。また、フレーム底壁５３ａと周底壁２５とが上下に対向配置されて２重の壁構造を形成する。そして、フランジ壁２６とスライドカバー５１とがパッキン７０を介して密着して重ねて配されることで、ケース１３の開口１３ａが密閉される。このとき、周縁部２３と上フレーム５３との間に形成される空間に、スライダ６０が配されている。
【００３９】
同様に、図８に示す様に、ケース１３の周縁部２３の上側の上周縁部２３ａの幅方向両端部は、一対の回動扉の上フレーム片３２ａによって覆われている。
【００４０】
制御盤１０の内部を操作する場合には、この閉扉状態のカバーベース３１の、ヒンジユニット４０とは反対側の側端縁に形成された取手部３１ａに手指をかけて前方に引っ張ることで、ヒンジユニット４０を支点として回動扉３０を回動させて、開き、開状態とする。
【００４１】
図３及び図４に示す様に、一対の回動扉３０が開状態となると、開口１３ａの幅方向両端の領域が開放され、スライド扉５０がスライド移動可能になる。この状態で、ユーザがスライド扉５０の例えば側縁部分に手指をかけて幅方向に力を加えると、図１０に示す様に、スライダ６０のローラ６２が回転することで、スライダ６０とともにスライド扉５０が幅方向に移動する。
【００４２】
本実施形態にかかる制御盤１０は、以下のような効果を奏する。すなわち、回動扉３０の間にスライド可能なスライド扉５０を設けたことにより、ユーザが収容空間の任意の領域に容易にアクセスでき、かつ、扉を取り外す作業が不要となる。したがって、内部の収容空間に配される制御機器の操作性が向上し、メンテナンス性が向上する。また、複数の扉を備えて各扉のサイズを小さく抑えることにより、ボックス１１の開口１３ａの幅に対して回動扉３０の幅寸法を小さくすることができ、設置領域を省スペース化できる。
【００４３】
また、スライド扉５０は水切り機能を有する返し構造の周縁部２３に係合して案内されるスライダ６０を備える構成としたことにより、複雑な構造を追加することなく、既存の機構を有効に利用することができる。
【００４４】
また、返し構造の周縁部２３、返し構造のカバーフレーム３２、及びスライドフレーム５２が互いに係合し、複数の部材が重なる壁構造を構成することにより、密閉性を確保し、高い防水性能が得られる。また、ヒンジユニット４０やスライダ−６０はケース１３の周縁部２３よりも外側であって、扉との間に形成される空間に配置したことで、防水性能を損なうことなく、外観性や操作性に優れた構造を実現できる。
【００４５】
なお本発明は上記実施形態に限られるものではない。例えばスライド扉５０は１枚としたが、これに限るものではない。幅寸法などの条件に応じて適宜変更可能である。例えば複数枚のスライド扉５０を備え、それらがそれぞれスライド可能に構成されていてもよい。
【００４６】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００４７】
１０…制御盤、１１…ボックス、１２…制御機器、１３…ケース、１３ａ…開口、１３ｄ…位置決め孔、１４…支持プレート、２１…後壁、２２…周壁、２２ａ…上壁、２２ｂ…下壁、２２ｃ…側壁、２３…周縁部、２３ａ…上周縁部、２３ｂ…下周縁部、２３ｃ…側周縁部、２４…内縁壁、２５…周底壁、２６…フランジ壁、２７…側溝部、２８…上溝部、３０…回動扉、３１…カバーベース、３１ａ…取手部、３２…カバーフレーム（フレーム）、３２ａ…上フレーム片、３２ｂ…下フレーム片、３２ｃ…側フレーム片、４０…ヒンジユニット、４１…ヒンジパーツ、４１ａ…ヒンジ孔、４１ｂ…ヒンジ筒部、４１ｃ…ヒンジプレート部、４２…ヒンジパーツ、４２ａ…ヒンジ孔、４２ｂ…ヒンジ筒部、４２ｃ…ヒンジプレート部、４３…ヒンジピン、５０…スライド扉、５１…スライドカバー、５１ｂ…補強リブ、５１ｃ…通風部、５１ｄ…位置決め孔、５２…スライドフレーム（フレーム）、５３…上フレーム、５３ａ…フレーム底壁、５３ｂ…返し壁、５４…側フレーム、５４ａ…フレーム片、５４ｂ…フレーム底片、５４ｃ…フレーム返し片、５５…下フレーム、５５ａ…下壁、５６…上溝、６０…スライダ、６１…レール材、６２…ローラ、６２ａ…回転軸、７０…パッキン。
【図１】
2019013104.tif 000003
【図２】
2019013104.tif 000004
【図３】
2019013104.tif 000005
【図４】
2019013104.tif 000006
【図５】
2019013104.tif 000007
【図６】
2019013104.tif 000008
【図７】
2019013104.tif 000009
【図８】
2019013104.tif 000010
【図９】
2019013104.tif 000011
【図１０】
2019013104.tif 000012